(57)【特許請求の範囲】
【請求項１】
軒樋の底板よりも下方に凹んで集水する底壁部と、この底壁部から立ち上がる側壁部とを有し、前記底壁部に雨水の落し口が形成された樋集水器に設置される枯葉避け具において、
雨水を流入させつつ枯葉の侵入を防ぐ複数の開口部が形成され、前記落し口の上方を囲繞するよう設置される籠状部材と、
雨水を流下させつつ枯葉の侵入を防ぐ複数の開口部が形成され、前記樋集水器の底壁部との間で隙間を設けて対向配置される板状部材とを備え、
前記板状部材には、前記籠状部材を挿通させる挿通孔が形成されていることを特徴とする枯葉避け具。
【請求項２】
軒樋の底板よりも下方に凹んで集水する底壁部と、この底壁部から立ち上がる側壁部とを有し、前記底壁部に雨水の落し口が形成された樋集水器に設置される枯葉避け具が樋集水器に設置されてなる樋集水器の排水構造において、
前記枯葉避け具は、
雨水を流入させつつ枯葉の侵入を防ぐ複数の開口部が形成され、前記落し口の上方を囲繞するよう設置される籠状部材と、
雨水を流下させつつ枯葉の侵入を防ぐ複数の開口部が形成され、前記樋集水器の底壁部との間で隙間を設けて対向配置される板状部材とを備え、
前記板状部材の上面には、突起が形成され、
前記板状部材の下面には、前記軒樋の底板の上面に当接して前記板状部材と前記軒樋の底板との間に隙間を形成する凸部が設けられていることを特徴とする樋集水器の排水構造。
【発明の詳細な説明】
【技術分野】
【０００１】
本発明は、樋集水器に設置される枯葉避け具及び樋集水器の排水構造に関する。
【背景技術】
【０００２】
建物に設置される軒樋と竪樋との間は、樋集水器によって接続されており、軒樋を流れる雨水を集水して竪樋に排水できるようになっている。軒樋から樋集水器に雨水が流れる際、雨水は、軒樋内に落ちた枯葉やゴミを樋集水器内に流し、竪樋に接続された落し口に流入させてこの落し口を詰まらせてしまうことがある。したがって、従来より、枯葉等の落し口への流入を防止する枯葉避けキャップ等の枯葉避け具が開発されている（例えば、下記特許文献１）。
下記特許文献１に記載の枯葉避けキャップは、落し口に被せられて枯葉等の落し口内への侵入を防止するドーム状の網状体と、網状体の下部に設けられ、落し口内に嵌着される円筒部とを備えている。
そして、前記枯葉避けキャップは、雨量が少ないときは網状体の下部にて枯葉等を受け止め、雨量が多いときは、雨水の水面に浮かんだ枯葉等をドーム状の網状体に留まらせずに、雨水の水位が下がるのに合わせて樋集水器の底壁部に落し、ド−ム状の網状体の上端部を塞がないようになっている。
【先行技術文献】
【特許文献】
【０００３】
【特許文献１】特開平０９−２５６５６７号公報
【発明の概要】
【発明が解決しようとする課題】
【０００４】
ところで、従来の枯葉避けキャップでは、枯葉が樋集水器の底壁部上に直接堆積するようになっているが、雨量が少ない場合、この底壁部上に直接堆積された枯葉は、雨水が底壁部に沿って流動するのを妨げたり、枯葉避けキャップ下部の網状の開口孔を塞いでしまったりするおそれがあり、樋集水器の排水効率を低下させるおそれがあるという問題があった。
また、雨量が多い場合も、落し口に被せられた枯葉避けキャップに強い吸水力が掛かるため、枯葉を吸い付けて網状体の下部または上部の開口孔を塞いでしまうことがあり、樋集水器の排水効率を低下させるおそれがあるという問題があった。
また、枯葉が底壁部に直接堆積すると、枯葉と底壁部との間に雨水が保持されやすく、蒸発し難くなってしまうため、底壁部上で枯葉が保持された雨水によって腐敗したり、塵埃類を絡めて堆積させたりして、平滑に形成された樋集水器の底壁部の表面を枯葉で汚してしまうという問題があった。
そこで、本発明は、上記課題に鑑み、枯葉が樋集水器内に流れてきた場合にも、樋集水器の排水効率を低下させず、かつ、樋集水器の底壁部表面が汚れることを防止し得る枯葉避け具を提供することを課題とする。
【課題を解決するための手段】
【０００５】
本発明は、軒樋の底板よりも下方に凹んで集水する底壁部と、この底壁部から立ち上がる側壁部とを有し、前記底壁部に雨水の落し口が形成された樋集水器に設置される枯葉避け具において、雨水を流入させつつ枯葉の侵入を防ぐ複数の開口部が形成され、前記落し口の上方を囲繞するよう設置される籠状部材と、雨水を流下させつつ枯葉の侵入を防ぐ複数の開口部が形成され、前記樋集水器の底壁部との間で隙間を設けて対向配置される板状部材とを備え、前記板状部材には、前記籠状部材を挿通させる挿通孔が形成されていることを特徴とする。
本発明によれば、板状部材により枯葉の樋集水器内への侵入を防ぎ、又は枯葉を板状部材上に堆積させる。また、板状部材と樋集水器の底壁部との間に雨水の円滑な流動が確保される隙間が形成される。したがって、雨量が少ないときには、樋集水器内への枯葉の侵入を防ぎつつ、底壁部により形成された凹みに効率的に集水し、更に集水された雨水を、底壁部の表面に沿って円滑かつ迅速に落し口に導くことができる。
また、雨水を底壁部の凹み内に流下させる開口部が、底壁部に対向する板状部材全体及び落し口の上方の籠状部材に設けられている。そして、板状部材により、その下方の隙間が流水を阻害するものを有しない状態に維持され、板状部材の下方の籠状部材の下部が確実に開口した状態とされる。したがって、雨量が多い場合には、板状部材及び籠状部材により、雨水を底壁部の凹み内に速やかに流下させ、雨水を確実かつ効率的に排水することができる。
また、堆積された枯葉が樋集水器の底壁部に貼着することがないため、枯葉の腐敗，底壁部表面への付着が予防され、底壁部表面が汚れることが防止される。
また、枯葉が水切り効果により、乾いた枯葉を容易に除去することができる。
また、板状部材を籠状部材に挿通させて、籠状部材の周辺全体に板状部材を簡便に配することができる。
【０００６】
また、本発明は、軒樋の底板よりも下方に凹んで集水する底壁部と、この底壁部から立ち上がる側壁部とを有し、前記底壁部に雨水の落し口が形成された樋集水器に設置される枯葉避け具が樋集水器に設置されてなる樋集水器の排水構造において、前記枯葉避け具は、雨水を流入させつつ枯葉の侵入を防ぐ複数の開口部が形成され、前記落し口の上方を囲繞するよう設置される籠状部材と、雨水を流下させつつ枯葉の侵入を防ぐ複数の開口部が形成され、前記樋集水器の底壁部との間で隙間を設けて対向配置される板状部材とを備え、前記板状部材の上面には、突起が形成され、前記板状部材の下面には、前記軒樋の底板の上面に当接して前記板状部材と前記軒樋の底板との間に隙間を形成する凸部が設けられていることを特徴とする。
本発明によれば、突起により枯葉の板状部材上への侵入を抑制することができる。また突起上に枯葉を堆積した際に、板状部材の上面と枯葉との間に隙間を形成し、枯葉が板状部材の上面に密着して雨水を流下させる開口部を塞ぐことを防止することができる。また、一旦板状部材に流れてきた枯葉を水流や風で再び軒樋内に侵入させることがないよう、枯葉を突起に引っ掛けることができる。
また、樋集水器内に雨水を滞留させることを防止し、円滑且つ迅速に雨水を竪樋に排水することができる。
【発明の効果】
【００１０】
本発明によれば、雨量が少ないときには、樋集水器内への枯葉の侵入を抑制しつつ、底壁部に形成された凹みに効率的に集水し、更に集水された雨水を、底壁部の表面に沿って円滑かつ迅速に落し口に導くことができるという効果を奏する。また、雨量が多い場合には、板状部材及び籠状部材に形成された開口部により、雨水を効率的に流下させ、雨水を確実かつ効率的に排水することができるという効果を奏する。
また、堆積された枯葉の樋集水器への付着，腐敗が予防され、底壁部表面に汚れ及び汚れによる凹凸が発生することを防止し、底壁部上の雨水の円滑な流動を維持することができるという効果を奏する。
また、雨水を流下させる開口部を有する板状部材に枯葉を堆積させ、雨水に濡れた枯葉を水切りすることができる。したがって、板状部材に堆積された枯葉の除去を容易に行うことができるという効果を奏する。
【図面の簡単な説明】
【００１１】
【図１】は、本発明の一実施形態として示した枯葉避け具を設置した状態を正面視した断面図である。
【図２】は、本発明の一実施形態として示した枯葉避け具が設置される樋集水器及び樋集水器に連設される軒樋を示した斜視図である。
【図３】は、本発明の一実施形態として示した枯葉避け具の籠状部材を示す斜視図である。
【図４】は、本発明の一実施形態として示した枯葉避け具の板状部材を示す斜視断面図である。
【図５】（ａ），（ｂ）は、本発明の一実施形態として示した枯葉避け具の設置方法を示す斜視断面図である。
【図６】は、本発明の一実施形態として示した枯葉避け具の設置完了状態を示す斜視断面図である。
【図７】は、本発明の一実施形態として示した枯葉避け具の使用状態を示す説明図である。
【図８】は、本発明の一実施形態として示した枯葉避け具の使用状態を示す説明図である。
【発明を実施するための形態】
【００１２】
以下、本発明の枯葉避け具の実施形態について、図を参照して説明する。
図１に示すように、枯葉避け具１は、軒樋２，２同士の間に設置される樋集水器３に取り付けられ、雨水を通過させつつ、枯葉やゴミ等の樋集水器３下方への流下を防止する部材である。
【００１３】
まず、枯葉避け具１の設置対象となる軒樋２及び樋集水器３について説明する。
図２に示すように、軒樋２は、押出成形法等により成形されたものであり、一方向Ｘ１に延びる底板４と、底板４の屋外側及び家屋側の縁部から立ち上がる側板５，５とを備えている。側板５，５の上端部には長手方向（Ｘ１方向）に延びる耳部６，６がそれぞれ形成されている。
【００１４】
樋集水器３は、射出成形法等により成形されたものであり、軒樋２からの雨水を集水する集水部７と集水部７内の雨水を竪樋８に排水する筒状の排水筒９とを備えている。
集水部７は、一方向Ｘ１に延び軒樋２の底板４に連続するよう配される底壁部１０と、底壁部１０の屋外側と家屋側の端縁からそれぞれ立ち上がる側壁部１１，１１とを備えている。そして、これら各部１０，１１の一方向Ｘ１の両端部によって、軒樋２の端部を下方から受けて軒樋２と接続させる一対の樋受口１２が形成され、上方が開口されている。
底壁部１０は、樋受口１２から下方に凹み、軒樋２から流れる雨水を集水するピット部１３を形成している。底壁部１０の下面には、排水筒９が接合されており、ピット部１３内と排水筒９の内部とが連通して落し口１４とされている。排水筒９の下方側先端部には、更に竪樋８が接続されている。
【００１５】
屋外側の側壁部１１の上縁の両端部には、一対のフック１５，１５が形成されている。これらフック１５，１５は、軒樋２の屋外側の耳部６，６に掛止されるようにスライド可能に引掛けられている。
同様にして、家屋側の側壁１１の上縁の左右両側部にも、一対のフック１６，１６が形成され、これらフック１６，１６が、軒樋２の家屋側の耳部６，６に掛止されるようにスライド可能に引掛けられている。
【００１６】
以上の各構成の下に、樋集水器３の樋受口１２には、軒樋２の端部が一方向Ｘ１にスライド可能に受け入れられている。なお、樋受口１２には、軒樋２との間から雨水が漏れ出ることを防止するための不図示のシール部材が設けられている。
【００１７】
次に、枯葉避け具１について説明する。
図１に示すように、枯葉避け具１は、有底筒状に形成され、落し口１４の上方に設置される籠状部材２０と、平面視矩形に形成され、ピット部１３を覆うように配置された板状部材２１とを備えている。
図１，図３に示すように、籠状部材２０は、落し口１４に嵌着させる嵌着部２２と、落し口１４の上方に突出させる突出部２３とを備えている。
【００１８】
嵌着部２２は、一定の厚み寸法をもって形成された筒体であり、その外径が排水筒９の内壁面９ａに当接する寸法で形成されている。嵌着部２２の両端は開口している。
突出部２３は、直線状の又は湾曲した棒状のプラスチック材ｐ１を側面又は平面視格子状に組み、落し口１４の上方空間を側方及び上方から囲繞する籠状に形成されている。棒状のプラスチック材ｐ１により囲まれた複数の空間は、雨水を可及的に流入させつつ、枯葉やゴミの流入を阻止する大きさに形成された開口部２４とされている。
【００１９】
図４に示すように、板状部材２１は、棒状のプラスチック材ｐ２により平面視矩形に形成された枠体２５内に、枠体２５と同様の棒状のプラスチック材ｐ２を格子状に組んで形成されたものである。棒状のプラスチック材ｐ２に囲まれた複数の矩形の空間は、雨水を可及的に流入させつつ、枯葉やゴミの流入を阻止する大きさに形成された開口部２６とされている。
【００２０】
板状部材２１は、枠体２５の一方向Ｘ１の一端部２５ａから他端部２５ｂまでが軒樋２の端部間に跨る長さ寸法に形成され、一方向Ｘ１に直交する幅方向Ｘ２（図１においては紙面奥行き方向）の寸法が、軒樋２，２間に設置された際に樋集水器３の側壁部１１，１１間に跨って覆う寸法となるよう形成されている。
【００２１】
枠体２５の一端部２５ａ及び他端部２５ｂのプラスチック材ｐ２は、それぞれ面取りされており、枯葉等のゴミが板状部材２１に向かって流動した際に板状部材２１の上方に侵入させるようになっている。
板状部材２１の一端部２５ａと他端部２５ｂとの間の中央部には、籠状部材２０の突出部２３を挿通させる挿通孔２７が形成されている。挿通孔２７の開口端を形成する幅方向Ｘ２に延びるプラスチック材ｐ２の延伸方向中央部には、挿通孔２７の内側に向かって突出する係止部２８が形成されている。
【００２２】
板状部材２１の一端部２５ａ側及び他端部２５ｂ側の格子状のプラスチック材ｐ２の上面２１ａには、幅方向Ｘ２に間隔をおいて突起２９Ａ，２９Ｂが形成されている。更に、一端部２５ａと挿通孔２７の開口端までの間及び他端部２５ｂと挿通孔２７の開口端までの間には、突起２９Ａ，２９Ｂよりも幅方向Ｘ２両端側に突起２９Ｃ，２９Ｄが形成されている。
一端部２５ａ側に形成された突起２９Ａ，２９Ｃは、一端部２５ａ側から他端部２５ｂ側に向けて漸次傾斜する傾斜面３５と、他端部２５ｂ側を向いて立ち上がる鉛直面３６とにより先鋭に形成されている。
【００２３】
他端部２５ｂ側に形成された突起２９Ｂ，２９Ｄは、他端部２５ｂ側から一端部２５ａ側に向けて漸次傾斜する傾斜面３７と、一端部２５ａ側を向いて立ち上がる鉛直面３８とにより先鋭に形成されている。
また、枠体２５の四隅Ｋ，Ｋ・・の下面には、図１に示す軒樋２の底板４の上面４ａに当接し、枠体２５と底板４との間に僅かな隙間４０を形成する凸部３９が設けられている。
【００２４】
以上の構成の下に、図１に示すように、籠状部材２０は、嵌着部２２を排水筒９の内壁面９ａに嵌着させ、突出部２３を落し口１４の上方に突出させた状態で固定され、その上端が樋集水器３において想定される水位よりも上方に位置するようになっている。
【００２５】
また、板状部材２１は、挿通孔２７に籠状部材２０を相対的に挿通させ、軒樋２，２間及び側壁部１１，１１間に跨って配置された際に、軒樋２の底板４の上面４ａとの間に僅かな隙間４０を形成するとともに、樋集水器３の底壁部１０との間に隙間４１を形成して底壁部１０に対向配置されている。また、板状部材２１の係止部２８（図４参照）が、図６に示す籠状部材２０の水平方向に延びるプラスチック材ｐ１の下方に位置し板状部材２１が籠状部材２０に分離可能に係止されるようになっている。
【００２６】
そして、籠状部材２０及び板状部材２１を集水部７内に設置した状態において、板状部材２１の下方は、雨水のみを流入させる空間４１となるとともに、板状部材２１よりも下方に位置する籠状部材２０の下部は、開口部２４が常に開口された排水開口部２４Ａとなる。
【００２７】
次に、枯葉避け具１の設置方法について説明する。
枯葉避け具１を設置するにあたっては、図５（ａ），（ｂ）に示すように、籠状部材２０の嵌着部２２の外周面２２ａに接着剤を塗布し、嵌着部２２を排水筒９の内壁面９ａに嵌着させ、突出部２３が落し口１４の上方に突出するように固定する。そして、板状部材２１の挿通孔２７に籠状部材２０の突出部２３を挿通させ、板状部材２１の係止部２８に籠状部材２０の水平方向に延びるプラスチック材ｐ１を通過させて、係止部２８を籠状部材２０のプラスチック材ｐ１下方に位置させる。そして、図６に示すように、板状部材２１の下面に形成された凸部３９が軒樋２の底板４の上面４ａに当接し、枯葉避け具１の樋集水器３への設置が完了し、樋集水器の排水構造１Ａが完成する。
【００２８】
次に、枯葉避け具１の作用及び機能について説明する。
図７に示すように、雨天時に、軒先（不図示）から軒樋２内に雨水が流下し、軒樋２を伝って枯葉と共に雨水が流動した場合、雨量が少ないときは、枯葉Ｌは、板状部材２１の一端部２５ａと他端部２５ｂ又は突起２９Ａ〜２９Ｄに引っ掛かって板状部材２１上への侵入を阻まれ、又は、枯葉Ｌの量によっては一端部２５ａと他端部２５ｂにおいて面取りされた枠体２５及び突起２９Ａ〜２９Ｄの傾斜面３５，３７を乗り上げ、ピット部１３内に侵入することなく板状部材２１上に堆積する。
【００２９】
この時、雨水Ｗ１は、板状部材２１の下方の隙間４０を流れてピット部１３内に流れ込み、底壁部１０を伝って円滑に流れ、籠状部材２０の突出部２３を通過して落し口１４内に流下する。すなわち、常にピット部１３内が、流水を阻害する枯葉Ｌ等を有さない状態に維持されるため、ピット部１３内に集水された雨水Ｗ１は底壁部１０の表面に沿って円滑かつ迅速に落し口１４に導かれる。
【００３０】
一方、雨量が多いときは、図８に示すように、軒樋２及び集水部７内において水位Ｗ３が上がり、枯葉Ｌが集水部７内の板状部材２１の上方及び籠状部材２０の周囲で浮遊し、これらの開口部２４，２６を覆い得る状態になる。
しかし、枯葉避け具１によれば、板状部材２１の下方のピット部１３内を雨水Ｗ２のみを取り込む空間４１とし、籠状部材２０の排水開口部２４Ａを常に開口させているため、ピット部１３内に流入した雨水Ｗ２は、その流動を何にも阻害されることなく落し口１４から排水可能な限り次々と排水される。
【００３１】
また、板状部材２１が、落し口１４よりも広範囲にピット部１３を覆い、板状部材２１の開口部２６により、ピット部１３への開口面積が広く形成されている。したがって、板状部材２１又は籠状部材２０を枯葉が覆っても、雨水Ｗ２をピット部１３内に流下させる面積を保持することができ、落し口１４から排水可能な量の雨水Ｗ２をピット部１３内に速やかに流下させることができる。すなわち、板状部材２１及び籠状部材２０を、落し口１４に雨水Ｗ２だけを流下させる第２の開口部として作用させ、雨水Ｗ２を円滑に流下させる空間４１を確保して、雨水Ｗ２を確実かつ効率的に排水することができる。
【００３２】
また、板状部材２１の上面に枯葉Ｌ等が堆積しても、板状部材２１に突起２９Ａ〜２９Ｄが形成されているため、板状部材２１の上面２１ａに枯葉Ｌ等が密着して貼り付き難い。したがって、板状部材２１上に枯葉Ｌが乗った状態で雨が降っても、板状部材２１の開口部２６の開効率が低下することが防止される。
【００３３】
以上のように、枯葉避け具１によれば、図７，図８に示すように、板状部材２１の下方のピット部１３上を雨水Ｗ１，Ｗ２だけを取り込み流動させる空間４１とし、板状部材２１の下方に位置する排水開口部２４Ａを常に開口させるため、軒樋２内に枯葉Ｌが落ち、樋集水器３に流された場合であっても、樋集水器３の排水効率を低下させること無く、円滑かつ迅速に排水することができるという効果が得られる。  
【００３４】
また、板状部材２１に、板状部材２１の一方向Ｘ１中央部に向かって漸次傾斜する突起２９Ａ〜２９Ｄが形成されているため、枯葉Ｌの板状部材２１上への侵入を無理なく阻止することができるという効果が得られる。また、突起２９Ａ〜２９Ｄにより、枯葉Ｌが板状部材２１に貼着して開口部２６を塞ぐことを防止することができるという効果が得られる。また更に、枯葉Ｌを突起２９Ａ〜２９Ｄに引っ掛けて、一旦板状部材２１上に堆積された枯葉Ｌを水流や風で再び軒樋２内に侵入させ難いという効果が得られる。
【００３５】
また、板状部材２１が籠状部材２０に分離可能に取り付けられているため、板状部材２１上に枯葉Ｌが堆積した場合に、板状部材２１のみを樋集水器３から取り外して、枯葉Ｌを容易に除去し、板状部材２１の目詰まり等を除去することができる。したがって、枯葉Ｌ避け具１ないし樋集水器３の排水構造１Ａのメンテナンスを容易に行うことが可能となるという効果が得られる。
【００３６】
また、板状部材２１及び籠状部材２０の２つの部材により落し口１４が覆われているため、枯葉Ｌが仮に板状部材２１の開口部２６を通り抜けた場合であっても籠状部材２０により枯葉Ｌが落し口１４内に侵入して詰まらせてしまうことを防止することができる。また、板状部材２１を取り外して、枯葉Ｌの除去等を行った場合であっても、籠状部材２０が落し口１４を覆っているため、落し口１４への枯葉Ｌの侵入を防止することができるという効果が得られる。
【００３７】
また更に、籠状部材２０が樋集水器３の落し口１４の上方に向かって突出しているため、雨量が多い場合であっても、落し口１４への雨水の流路を確保することができる。
また、枯葉Ｌの樋集水器３の底壁部１０への付着，腐敗が予防され、底壁部１０の表面に汚れ及び汚れによる凹凸が発生することを防止し、底壁部１０上の雨水の円滑な流動を維持することができるという効果を奏する。
【００３８】
また、板状部材２１に枯葉Ｌを堆積させ、雨水に濡れた枯葉Ｌを水切りすることができる。したがって、板状部材２１に堆積された枯葉Ｌの除去を容易に行うことができるという効果を奏する。
【００３９】
また、板状部材２１を籠状部材２０に挿通させて、籠状部材２０の周辺全体に板状部材２１を簡便に配することができるとともに、板状部材２１の水平方向の移動を規制することができるという効果が得られる。
また、板状部材２１は、風雨等により上方に浮いた場合であっても、図６に示すように、係止部２８が籠状部材２０のプラスチック材ｐ１に係止され、人が上方の力を加えない限り籠状部材２０から上方に容易に取り外されないように集水部７内に固定されることができるという効果が得られる。
【００４０】
なお、上記実施形態において、板状部材２１及び籠状部材２０は、プラスチック材ｐ１，ｐ２が略格子状に組まれて略矩形の開口部２４，２６が形成されているが、開口部２４，２６が雨水を可及的に取り込みつつゴミや枯葉Ｌの通過を阻止し得る大きさに形成されている限りにおいて、開口部２４，２６の形状は三角形、円形、その他の多角形等どのようなものであってもよい。
【００４１】
また、上記実施形態において、板状部材２１は平板に形成されているが、ピット部１３内において下方又は上方に湾曲した形状であってもよく、ピット部１３内で排水可能な量の雨水を保持し得る程度に可及的に広く枯葉Ｌを侵入させない空間４１が形成されていればよい。
また、図４に示す突起２９Ａ〜２９Ｄの傾斜面３５，３７の向き及び個数は、上述した突起２９Ａ〜２９Ｄの作用機能を奏するものであれば、上記実施態様に示されたものに限定されるものではなく、適宜変更したものであってもよい。
【符号の説明】
【００４２】
１Ａ  樋集水器の排水構造
１    枯葉避け具
２    軒樋
３    樋集水器
１０  底壁部
１１  側壁部
１３  ピット部（底壁部の凹み）
１４  落し口
２０  籠状部材
２１  板状部材
２４  籠状部材の複数の開口部  
２６  板状部材の複数の開口部
２７  挿通孔
２９Ａ〜２９Ｄ  突起
４１  空間（隙間）
【図１】
0005986431.tif 000002
【図２】
0005986431.tif 000003
【図３】
0005986431.tif 000004
【図４】
0005986431.tif 000005
【図５】
0005986431.tif 000006
【図６】
0005986431.tif 000007
【図７】
0005986431.tif 000008
【図８】
0005986431.tif 000009